(57)【特許請求の範囲】
【請求項１】
都市ゴミ焼却炉のホッパから焼却炉本体内へゴミを供給する二軸スクリュ式フィーダ(1)の終端部において、トラフ(7)の終端部に上方突部(8)が設けられ、該上方突部(8)の両側壁に渡って円筒状外軸(14)とこの筒内に通された棒状内軸(15)とからなる軸部材(24)が設けられ、棒状内軸(15)の一端部は左側延長側壁(9)を貫通して外方に突出し、円筒状外軸(14)の外端部は右側延長側壁(10)を貫通して外方に突出し、棒状内軸(15)の他端部は円筒状外軸(14)の外端部近くまで達し、円筒状外軸(14)の内端部は左側ネジ羽根(22)の真上の位置まで達しており、円筒状外軸(14)および棒状内軸(15)は右側延長側壁(10)および左側延長側壁(9)に対して独立して回転自在であり、各外方突出端にはリミットスイッチ接触用のレバー(17)(16)が取り付けられ、棒状内軸(15)にはトラフ(7)の両側壁寄りに位置する左右の側部フラッパ(18)(19)が垂下状に設けられ、円筒状外軸(14)にはトラフ(7)の幅中央部に位置する中央フラッパ(20)が垂下状に設けられ、左右の側部フラッパ(18)(19)は逆直角二等辺三角形に近似し、直角を挟む一辺が棒状内軸(15)に固着し、他の一辺がトラフの側壁に沿い、斜辺が左右ネジ羽根(22)(23)にそれぞれ対向しており、中央フラッパ(20)は逆正三角形に近似し、一辺が円筒状外軸(14)に固着し、他の二辺が左右ネジ羽根(22)(23)にそれぞれ対向しており、円筒状外軸(14)の右半分の下部には、長さ方向にスリット(21)が設けられ、棒状内軸(15)に固定された右側の側部フラッパ(19)はスリット(21)を経て下方に伸び、スリット開口角度内で自由に回動できるようになされており、ホッパ(2)に投入されたゴミは、二軸スクリュ式フィーダ(1)の左右ネジ羽根(22)(23)によってトラフ(7)内を前方へ給送され、まずトラフ(7)内の両側上部に、次いで左右ネジ羽根(22)(23)の間の上部にそれぞれ溜まり、左右の側部フラッパ(18)(19)がゴミで前方へ押されて、ゴミを逃がすように反時計回りに回動し、これによってレバー(16)がリミットスイッチを作動させ、ゴミの供給量が計測され、次いで、中央フラッパ(20)がゴミで前方へ押されて、ゴミを逃がすように反時計回りに回動し、これによってレバー(17)がリミットスイッチを作動させ、ゴミの供給量が計測されるようになされていることを特徴とする、スクリュ式フィーダにおける供給量計測装置。
【請求項２】
都市ゴミ焼却炉のホッパから焼却炉本体内へゴミを供給する一軸スクリュ式フィーダ(1)の終端部において、トラフ(7)の終端部に上方突部(8)が設けられ、該上方突部(8)の両側壁に渡って円筒状外軸(31)とこの筒内に通された棒状内軸(32)とからなる軸部材(36)が設けられ、棒状内軸(32)の一端部は左側延長側壁(9)を貫通して外方に突出し、円筒状外軸(31)の外端部は右側延長側壁(10)を貫通して外方に突出し、棒状内軸(32)の他端部は円筒状外軸(31)の外端部近くまで達し、円筒状外軸(31)の内端部はトラフ幅の中央位置まで達しており、円筒状外軸(31)および棒状内軸(32)は右側延長側壁(10)および左側延長側壁(9)に対して独立して回転自在であり、各外方突出端にはリミットスイッチ接触用のレバー(17)(16)が取り付けられ、棒状内軸(32)にはトラフの左側に位置する左側フラッパ(33)が、円筒状外軸(31)にはトラフの右側に位置する右側フラッパ(34)が、それぞれ垂下状に設けられ、左右の側部フラッパ(33)(34)は逆直角二等辺三角形に近似し、直角を挟む各一辺が棒状内軸(3)および円筒状外軸(31)に固着し、他の一辺がトラフの側壁に沿い、斜辺がネジ羽根(35)にそれぞれ対向しており、ホッパ(2)に投入されたゴミは、一軸スクリュ式フィーダ(1)のネジ羽根(35)によってトラフ(7)内を前方へ給送され、トラフ(7)内の両側上部に溜まり、左右の側部フラッパ(33)(34)がゴミで前方へ押されて反時計回りに回動し、これによってレバー(16)(17)がリミットスイッチを作動させ、ゴミの供給量が計測されるようになされていることを特徴とする、スクリュ式フィーダにおける供給量計測装置。
【発明の詳細な説明】
【０００１】
【発明の属する技術分野】
この発明はスクリュ式フィーダにおける供給量計測装置に関し、都市ゴミ焼却炉において、ホッパから焼却炉本体内へ一軸または二軸スクリュ式フィーダによって供給されるゴミの体積量を計る計測装置に関する。
【０００２】
この明細書において、左右関係は、図２を基準とする。
【０００３】
【従来の技術】
都市ゴミ焼却炉において炉本体へ供給するゴミの量を計るには、図５に示すように、スクリュ式フィーダ(51)の終端から焼却炉本体へ至る傾斜通路(52)に発光器(53)と受光器(54)とを対向状に設置し、発光器(53)から出た光による、同通路(52)を落下するゴミの影を受光器(54)によって計測し、ゴミの体積量を計る方法が提案されている。
【０００４】
しかし、この方法では、傾斜通路(52)を落下するゴミが大きな塊であったり小さな塊であったりして一定せず、そのためゴミの影がゴミの体積量と必ずしも相関性を有さず、計測が不正確になる嫌いがある。
【０００５】
また、ネジ羽根の始端にトルク検出器(55)を取り付け、これでトルクを測定することによって、ゴミの体積量を計る方法も提案されている。
【０００６】
しかし、この方法ではトルクが大きくなる原因がゴミ体積の増大によるのか、固い固形物の混入によるのか判別できないため、やはり計測が不正確になる難点がある。
【０００７】
【発明が解決しようとする課題】
この発明の目的は、上記の点に鑑み、構造が簡単で計測を正確になしうる、スクリュ式フィーダにおける供給量計測装置を提供することにある。
【０００８】
【課題を解決するための手段】
請求項１記載の供給量計測装置は、都市ゴミ焼却炉のホッパから焼却炉本体内へゴミを供給する二軸スクリュ式フィーダの終端部において、トラフの終端部に上方突部が設けられ、該上方突部の両側壁に渡って円筒状外軸とこの筒内に通された棒状内軸とからなる軸部材が設けられ、棒状内軸の一端部は左側延長側壁を貫通して外方に突出し、円筒状外軸の外端部は右側延長側壁を貫通して外方に突出し、棒状内軸の他端部は円筒状外軸の外端部近くまで達し、円筒状外軸の内端部は左側ネジ羽根の真上の位置まで達しており、円筒状外軸および棒状内軸は右側延長側壁および左側延長側壁に対して独立して回転自在であり、各外方突出端にはリミットスイッチ接触用のレバーが取り付けられ、棒状内軸にはトラフの両側壁寄りに位置する左右の側部フラッパが垂下状に設けられ、円筒状外軸にはトラフの幅中央部に位置する中央フラッパが垂下状に設けられ、左右の側部フラッパは逆直角二等辺三角形に近似し、直角を挟む一辺が棒状内軸に固着し、他の一辺がトラフの側壁に沿い、斜辺が左右ネジ羽根にそれぞれ対向しており、中央フラッパは逆正三角形に近似し、一辺が円筒状外軸に固着し、他の二辺が左右ネジ羽根にそれぞれ対向しており、円筒状外軸の右半分の下部には、長さ方向にスリットが設けられ、棒状内軸に固定された右側の側部フラッパはスリットを経て下方に伸び、スリット開口角度内で自由に回動できるようになされており、ホッパに投入されたゴミは、二軸スクリュ式フィーダの左右ネジ羽根によってトラフ内を前方へ給送され、まずトラフ内の両側上部に、次いで左右ネジ羽根の間の上部にそれぞれ溜まり、左右の側部フラッパがゴミで前方へ押されて、ゴミを逃がすように反時計回りに回動し、これによってレバーがリミットスイッチを作動させ、ゴミの供給量が計測され、次いで、中央フラッパがゴミで前方へ押されて、ゴミを逃がすように反時計回りに回動し、これによってレバーがリミットスイッチを作動させ、ゴミの供給量が計測されるようになされているものである。
【０００９】
請求項２記載の供給量計測装置は、都市ゴミ焼却炉のホッパから焼却炉本体内へゴミを供給する一軸スクリュ式フィーダの終端部において、トラフの終端部に上方突部が設けられ、該上方突部の両側壁に渡って円筒状外軸とこの筒内に通された棒状内軸とからなる軸部材が設けられ、棒状内軸の一端部は左側延長側壁を貫通して外方に突出し、円筒状外軸の外端部は右側延長側壁0を貫通して外方に突出し、棒状内軸の他端部は円筒状外軸の外端部近くまで達し、円筒状外軸の内端部はトラフ幅の中央位置まで達しており、円筒状外軸および棒状内軸は右側延長側壁および左側延長側壁に対して独立して回転自在であり、各外方突出端にはリミットスイッチ接触用のレバーが取り付けられ、棒状内軸にはトラフの左側に位置する左側フラッパが、円筒状外軸にはトラフの右側に位置する右側フラッパが、それぞれ垂下状に設けられ、左右の側部フラッパは逆直角二等辺三角形に近似し、直角を挟む各一辺が棒状内軸および円筒状外軸に固着し、他の一辺がトラフの側壁に沿い、斜辺がネジ羽根にそれぞれ対向しており、ホッパに投入されたゴミは、一軸スクリュ式フィーダのネジ羽根によってトラフ内を前方へ給送され、トラフ内の両側上部に溜まり、左右の側部フラッパがゴミで前方へ押されて反時計回りに回動し、これによってレバーがリミットスイッチを作動させ、ゴミの供給量が計測されるようになされているものである。
【００１０】
【発明の実施の形態】
この発明による供給量計測装置の実施例を図面に基づいて説明をする。
【００１１】
実施例１
図１〜３において、二軸スクリュ式フィーダ(1)は、トラフ(7)と、これに内蔵された一対のネジ羽根(22)(23)とから主として構成されている。トラフ(7)の始端部にはホッパ(2)が設けられ、終端には垂直通路(3)が接続されている。垂直通路(3)は垂直ネジ羽根(4)を内蔵し、これを駆動するモータ(5)を上端に有する。垂直通路(3)はその下端にて傾斜通路(6)を介して焼却炉本体（図示省略）に連通している。
【００１２】
トラフ(7)の終端部には上方突部(8)が設けられている。上方突部(8)はトラフ(7)の両側壁の上端にそれぞれ上方延長状に連設された左右一対の延長側壁(9)(10)と、トラフ頂壁に屈曲立上り状に連設された前後一対の垂直壁(11)(12)と、頂板(13)とで構成されている。
【００１３】
上方突部(8)の両側壁に渡って、円筒状外軸(14)とこの筒内に通された棒状内軸(15)とからなる軸部材(24)がグランドパッキン(25)を介して設けられ、棒状内軸(15)の一端部は左側延長側壁(9)を貫通して外方に突出し、円筒状外軸(14)の外端部は右側延長側壁(10)を貫通して外方に突出し、棒状内軸(15)の他端部は円筒状外軸(14)の外端部近くまで達し、円筒状外軸(14)の内端部は左側ネジ羽根(22)の真上の位置まで達している。
【００１４】
円筒状外軸(14)および棒状内軸(15)は右側延長側壁(10)および左側延長側壁(9)に対して独立して回転自在であり、各外方突出端にはリミットスイッチ接触用のレバー(17)(16)が取り付けられている。
【００１５】
棒状内軸(15)にはトラフの両側壁寄りに位置する左右の側部フラッパ(18)(19)が垂下状に設けられ、円筒状外軸(14)にはトラフの幅中央部に位置する中央フラッパ(20)が垂下状に設けられている。左右の側部フラッパ(18)(19)は逆直角二等辺三角形に近似し、直角を挟む一辺が棒状内軸(15)に固着し、他の一辺がトラフの側壁に沿い、斜辺が左右ネジ羽根(22)(23)にそれぞれ対向している。中央フラッパ(20)は逆正三角形に近似し、一辺が円筒状外軸(14)に固着し、他の二辺が左右ネジ羽根にそれぞれ対向している。円筒状外軸(14)の右半分の下部には、図３（イ）に示すように、長さ方向にスリット(21)が設けられ、棒状内軸(15)に固定された右側の側部フラッパ(19)はスリット(21)を経て下方に伸び、スリット開口角度内で自由に回動できるようになされている。
【００１６】
上記構成の供給量計測装置において、ホッパ(2)に投入されたゴミは、左右ネジ羽根(22)(23)によってトラフ(7)内を前方へ給送され、まずトラフ(7)内の両側上部に、次いで左右ネジ羽根(22)(23)の間の上部にそれぞれ溜まって来る。したがって、まず、左右の側部フラッパ(18)(19)がゴミで前方へ押されて、図３（ロ）に示すように、ゴミを逃がすように反時計回りに回動し、これによってレバー(16)がリミットスイッチ（図示省略）を作動させ、ゴミの供給量を計測する。次いで、中央フラッパ(20)がゴミで前方へ押されて、図３（イ）に示すように、ゴミを逃がすように反時計回りに回動し、これによってレバー(17)がリミットスイッチ（図示省略）を作動させ、ゴミの供給量を計測する。
【００１７】
実施例２
図４は一軸スクリュ式フィーダにおける供給量計測装置を示すものである。
【００１８】
この実施例では、上方突部の両側壁に渡って円筒状外軸(31)とこの筒内に通された棒状内軸(32)とからなる軸部材(36)が設けられ、棒状内軸(32)の一端部は左側延長側壁(9)を貫通して外方に突出し、円筒状外軸(31)の外端部は右側延長側壁(10)を貫通して外方に突出し、棒状内軸(32)の他端部は円筒状外軸(31)の外端部近くまで達し、円筒状外軸(31)の内端部はトラフ幅の中央位置まで達している。
【００１９】
棒状内軸(32)にはトラフの左側に位置する左側フラッパ(33)が、円筒状外軸(31)にはトラフの右側に位置する右側フラッパ(34)が、それぞれ垂下状に設けられている。左右の側部フラッパ(33)(34)は逆直角二等辺三角形に近似し、直角を挟む各一辺が棒状内軸(32)および円筒状外軸(31)に固着し、他の一辺がトラフの側壁に沿い、斜辺がネジ羽根(35)にそれぞれ対向している。
【００２０】
その他の構成は実施例１のものと同じである。
【００２１】
上記構成の供給量計測装置において、ホッパに投入されたゴミは、ネジ羽根(35)によってトラフ(7)内を前方へ給送され、トラフ(7)内の両側上部に溜まって来る。したがって、左右の側部フラッパ(33)(34)がゴミで前方へ押されて反時計回りに回動し、これによってレバー(16)(17)がリミットスイッチ（図示省略）を作動させ、ゴミの供給量を計測する。
【００２２】
その他の構成は実施例１のものと同じである。
【００２３】
【発明の効果】
この発明による、スクリュ式フィーダにおける供給量計測装置は、以上の通り構成されているので、前述した従来の供給量計測装置に比べ、構造が簡単である上に、計測を正確に行うことができる。
【図面の簡単な説明】
【図１】本発明の実施例１による供給量計測装置を示す垂直縦断面図である。
【図２】本発明の実施例１による供給量計測装置を示す垂直横断面図である。
【図３】本発明の実施例１による供給量計測装置の軸部材を示す垂直横断面図である。
【図４】本発明の実施例２による供給量計測装置を示す垂直横断面図である。
【図５】従来の供給量計測装置を示す垂直縦断面図である。
【符号の説明】
１：二軸スクリュ式フィーダ
２：ホッパ
７：トラフ
８：上方突部
９：延長側壁
１０：延長側壁
１４：円筒状外軸
１５：棒状内軸
１６：レバー
１７：レバー
１８：側部フラッパ
１９：側部フラッパ
２０：中央フラッパ
２１：スリット
２２：ネジ羽根
２３：ネジ羽根
２４：軸部材
３１：円筒状外軸
３２：棒状内軸
３３：左側フラッパ
３４：右側フラッパ
３５：ネジ羽根
３６：軸部材
【図１】
0003586759.tif 000002
【図２】
0003586759.tif 000003
【図３】
0003586759.tif 000004
【図４】
0003586759.tif 000005
【図５】
0003586759.tif 000006